(57)【要約】      （修正有）【課題】罹患した家畜の殺処分はもとより、感染経路の遮断、及び、外部への二次感染の防御を図る殺菌シートを提供する。【解決手段】防疫が必要な場所、あるいは地域に人間、あるいは車などを侵入させる際、靴、長靴などの履き物、あるいは車のタイヤに付着する細菌やカビ菌を殺菌あるいは除菌することを目的とした殺菌シ−トであって、その形状は長方形であり、その大きさは人が歩ける幅、もしくは車が載る幅を持ち、また十分な長さを持っており、更に側面には穴５が開いたパイプ３、又はチユ−ブを具備し、殺菌効果を持つ殺菌剤として、過酢酸製剤を間歇的に、あるいは連続して噴霧する。過酢酸製剤の過酢酸濃度は、８０−２０００ｐｐｍである。殺菌シ−トの材料は表面に凹凸があるプラスチックやゴムのシ−トである。【選択図】図１
0003229687.tif 000002
【実用新案登録請求の範囲】
【請求項１】
防疫が必要な場所、あるいは地域に人間、或いは車などを侵入させる際に、靴、長靴などの履き物、或いは車のタイヤに付着する細菌やカビ菌を殺菌或いは除菌することを目的とすることを特徴とする殺菌シ−ト。
【請求項２】
殺菌効果を持つ殺菌剤として、過酢酸製剤を使用することを特徴とする殺菌シ−トであり、その噴霧方法としては間歇的散布でも、あるいは連続した散布でも良いことを特徴とする殺菌シ−ト。
【請求項３】
請求項２に記載した噴霧する過酢酸製剤の過酢酸濃度として、８０−２０００ｐｐｍであることを特徴とする殺菌シ−ト。
【請求項４】
請求項１、２、３に記載の殺菌シ−トの材料としては人工芝及びそれに類似した構造の材料を用いても良く、また含水性を有する素材でも良く、はたまた表面に凹凸があるプラスチックやゴムのシ−トでも良いことを特徴とする殺菌シ−ト。
【請求項５】
請求項１、２、３、４に記載の殺菌シ−トの一方の側面に、液体を通し、シ−ト上に液体を散布するための穴が開いたパイプ、またはチュ−ブを付属していることを特徴とする殺菌シ−ト。
【請求項６】
請求項５に記載した穴が開いたパイプは、連結が可能なものであり、その連結の方法としてはパイプの一方の端部に雄ねじの構造を持ち、もう一方の端部には雄ねじとかみ合わせができる回転可能な雌ねじを有することによって何枚もの殺菌シ−トを接続可能であることを特徴とする殺菌シ−ト。
【請求項７】
請求項５に記載したチュ−ブは、パイプと同様に連結を可能のするために、カップリングデバイスを装着することによって多数のシ−トを連結させることができることを特徴とする殺菌シ−ト。
【考案の詳細な説明】
【技術分野】
【０００１】  最近、鳥インフルエンザや豚コレラ、牛の口蹄疫などの様々な家畜伝染病が報告され、その都度に飼育場所の殺菌や、全数の殺処分、埋め立てが実施されている。
【背景技術】
【０００２】  課題としては罹患した家畜の殺処分はもとより、感染経路の遮断、及び外部への二次感染の防御が要求される。【０００３】  現在通常行なわれている方法としては、消石灰を用いる殺菌方法である。殺処分した家畜の埋め立てにおいても大量の消石灰を散布することが行なわれている。【０００４】  更に、外部への二次感染を防ぐためにこの処分場への出入りにはことに注意を払っており、人の消毒、車の消毒、道具の消毒などを徹底的に行っている。【０００５】  その方法として使われているものは消石灰であり、出入りする道路はそのために真っ白になっている。
【課題を解決する手段】
【０００６】  この、消石灰の散布の方法では、靴底やタイヤの表面のみが消毒されるのみで、履き物の側面、あるいはタイヤの側面は消石灰には触れることはないので、そこは殺菌されないという欠点を持っている。更に、長期間消石灰が残るという問題もある。
【０００７】  この弱点を無くす方法として殺菌力に優れた過酢酸製剤の噴霧によって、より上の部分まで殺菌が可能になる。
【０００８】  この殺菌シ−トは、液を担持して接触表面の殺菌をする面状の部分と、液を噴霧することによって面状部分への液を供給するとともに、靴やタイヤの側面を殺菌する目的を有している。
【０００９】  液の噴霧の方法としては、面状部分の側面に取り付けたパイプから散布する。そのパイプの表面には多数の穴が開けられているので、そこから液を噴射する。噴射の方法としては連続噴射かあるいは間歇的な噴射でもいい。
【００１０】  パイプの一方の端部には雄ねじが切ってあり、また他方の端部には回転可能な雌ねじの構造を持っており、これを組み合わせることによって何枚もの殺菌シ−トを連結させることができる。パイプの最先端については、キャップによって栓をして先端からの液漏れを防ぐ。
【００１１】  チュ−ブを用いる場合にはその接続方法としてはカップリングデバイスを用いれば良い。
【考案の効果】
【００１２】  過酢酸製剤は、過酢酸、過酸化水素、酢酸などを含む製剤であり、米国などでは野菜、果物、魚、肉などの様々な食材の消毒、表面殺菌に使用されているものであって、従ってその安全性は一切問題がない。
【００１３】  また、これらの含有物質は蒸散する性質を持っているので、残留性においても全く問題はない。
【００１４】  従ってその使用に当たっては簡便であるとともに、殺菌力が大きいという特徴からその有効性は絶大である。
【実施例１】
【００１５】  稼働させた状態で、靴を履いた人間を通常の歩き方で、通常の速度で１５歩分歩行させ、その前後の靴底の菌数を測定したところ、ｌｏｇスケ−ルで、歩行前は６．２であったものが、通過後の検査では０であった。
【図面の簡単な説明】
【００１６】
【図１】  考案になる殺菌シ−ト
【符合の説明】
【００１７】１  シ−ト部分
２  雌ねじ部分
３  パイプ
４  雄ねじ部分
５  噴霧用の穴
【図１】
0003229687.tif 000003
【手続補正書】
【提出日】令和1年9月11日(2019.9.11)
【手続補正１】
【補正対象書類名】実用新案登録請求の範囲
【補正対象項目名】全文
【補正方法】変更
【補正の内容】
【実用新案登録請求の範囲】
【請求項１】
防疫が必要な場所、あるいは地域に人間、或いは車などを侵入させる際に、靴、長靴などの履き物、或いは車のタイヤに付着する細菌やカビ菌を殺菌或いは除菌することを目的とした殺菌シ−トであって、その構造としては人工芝及びそれに類似した構造の材料から構成され、側面に穴が開いたパイプ、又はチュ−ブを具備し、殺菌効果を持つ殺菌剤として、過酢酸製剤を間歇的に、あるいは連続的に噴霧することを特徴とする殺菌シ−ト。
【請求項２】
請求項１に記載した噴霧する過酢酸製剤の過酢酸濃度として、８０−２０００ｐｐｍであることを特徴とする殺菌シ−ト。
【請求項３】
請求項１、２に記載の殺菌シ−トの材料としては表面に凹凸があるプラスチックやゴムのシ−トであることを特徴とする殺菌シ−ト。
【請求項４】
請求項１に記載した穴が開いたパイプは、連結が可能なものであり、その連結の方法としてはパイプの一方の端部に雄ねじの構造を持ち、もう一方の端部には雄ねじとかみ合わせができる回転可能な雌ねじを有することによって何枚もの殺菌シ−トを接続可能であることを特徴とする殺菌シ−ト。
【請求項５】
請求項１に記載したチュ−ブは、パイプと同様に連結を可能のするために、カップリングデバイスを装着することによって多数のシ−トを連結させることができることを特徴とする殺菌シ−ト。
【手続補正書】
【提出日】令和1年12月27日(2019.12.27)
【手続補正１】
【補正対象書類名】実用新案登録請求の範囲
【補正対象項目名】全文
【補正方法】変更
【補正の内容】
【実用新案登録請求の範囲】
【請求項１】
防疫が必要な場所、あるいは地域に人間、あるいは車などを侵入させる際、靴、長靴などの履き物、あるいは車のタイヤに付着する細菌やカビ菌を殺菌あるいは除菌することを目的とした殺菌シ−トであって、その構造としては人工芝及びそれに類似した構造の材料から構成され、その形状は長方形であり、その大きさは人が歩ける幅、もしくは車が載る幅を持ち、また十分な長さを持っており、更に側面には穴が開いたパイプ、又はチユ−ブを具備し、殺菌効果を持つ殺菌剤として、過酢酸製剤を間歇的に、あるいは連続した噴霧することを特徴とする殺菌シ−ト。
【請求項２】
請求項１に記載した噴霧する過酢酸製剤の過酢酸濃度として、８０−２０００ｐｐｍであることを特徴とする殺菌シ−ト。
【請求項３】
請求項１、２に記載の殺菌シ−トの材料としては表面に凹凸があるプラスチックやゴムのシ−トであることを特徴とする殺菌シ−ト。
【請求項４】
請求項１に記載した殺菌シ−トの構成部品である穴が開いたパイプは、連結が可能なものであり、その連結の方法としてはパイプの一方の端部に雄ねじの構造を持ち、もう一方の端部には雄ねじとかみ合わせができる回転可能な雌ねじを有することによって何枚もの殺菌シ−トを接続可能であることを特徴とする殺菌シ−ト。
【請求項５】
請求項１に記載した殺菌シ−トの構成部品であるチュ−ブは、パイプと同様に連結を可能のするために、カップリングデバイスを装着することによって多数のシ−トを連結させることができることを特徴とする殺菌シ−ト。
【手続補正書】
【提出日】令和2年4月14日(2020.4.14)
【手続補正１】
【補正対象書類名】実用新案登録請求の範囲
【補正対象項目名】全文
【補正方法】変更
【補正の内容】
【実用新案登録請求の範囲】
【請求項１】
防疫が必要な場所、あるいは地域に人間、あるいは車などを侵入させる際、靴、長靴などの履き物、あるいは車のタイヤに付着する細菌やカビ菌を殺菌あるいは除菌することを目的とした殺菌シ−トであって、その構造としては人工芝及びそれに類似した構造の材料から構成され、その形状は長方形であり、その大きさは人が歩ける幅、もしくは車が載る幅を持ち、また十分な長さを持っており、更に側面には穴が開いたパイプ、又はチユ−ブを具備し、殺菌効果を持つ殺菌剤として、過酢酸製剤を間歇的に、あるいは連続した噴霧することを特徴とする殺菌シ−ト。
【請求項２】
請求項１に記載した噴霧する過酢酸製剤の過酢酸濃度として、８０−２０００ｐｐｍであることを特徴とする請求項１に記載の殺菌シ−ト。
【請求項３】
請求項１、２に記載の殺菌シ−トの材料としては表面に凹凸があるプラスチックやゴムのシ−トであることを特徴とする請求項１に記載の殺菌シ−ト。
【請求項４】
請求項１に記載した殺菌シ−トの構成部品である穴が開いたパイプは、連結が可能なものであり、その連結の方法としてはパイプの一方の端部に雄ねじの構造を持ち、もう一方の端部には雄ねじとかみ合わせができる回転可能な雌ねじを有することによって何枚もの殺菌シ−トを接続可能であることを特徴とする請求項１に記載の殺菌シ−ト。
【請求項５】
請求項１に記載した殺菌シ−トの構成部品であるチュ−ブは、パイプと同様に連結を可能のするために、カップリングデバイスを装着することによって多数のシ−トを連結させることができることを特徴とする殺菌シ−ト。
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
防疫が必要な場所、あるいは地域に人間、あるいは車などを侵入させる際、靴、長靴などの履き物、あるいは車のタイヤに付着する細菌やカビ菌を殺菌あるいは除菌することを目的とした殺菌シ−トであって、その構造としては人工芝及びそれに類似した構造の材料から構成され、その形状は長方形であり、その大きさは人が歩ける幅、もしくは車が載る幅を持ち、また十分な長さを持っており、更に側面には穴が開いたパイプ、又はチユ−ブを具備し、殺菌効果を持つ殺菌剤として、過酢酸製剤を間歇的に、あるいは連続した噴霧することを特徴とする殺菌シ−ト。
【請求項２】
請求項１に記載した噴霧する過酢酸製剤の過酢酸濃度として、８０−２０００ｐｐｍであることを特徴とする請求項１に記載の殺菌シ−ト。
【請求項３】
請求項１、２に記載の殺菌シ−トの材料としては表面に凹凸があるプラスチックやゴムのシ−トであることを特徴とする請求項１又は２に記載の殺菌シ−ト。
【請求項４】
請求項１に記載した殺菌シ−トの構成部品である穴が開いたパイプは、連結が可能なものであり、その連結の方法としてはパイプの一方の端部に雄ねじの構造を持ち、もう一方の端部には雄ねじとかみ合わせができる回転可能な雌ねじを有することによって何枚もの殺菌シ−トを接続可能であることを特徴とする請求項１に記載の殺菌シ−ト。
【請求項５】
請求項１に記載した殺菌シ−トの構成部品であるチュ−ブは、パイプと同様に連結を可能のするために、カップリングデバイスを装着することによって多数のシ−トを連結させることができることを特徴とする請求項１に記載の殺菌シ−ト。